(57)【要約】【課題】手揉みに適した適度な復元力の調整が容易であり且つ製造も容易な泡立て具を提供する。【解決手段】オーガンジー4、ソフトチュール5を重ねて２つ折りにして側縁に沿って縫い合わせて長尺スリーブ8を作り、そして、長手方向一端部分9を反転させて他端部分10の上になるように折り返して半スリーブ11を形成する。次いで、半スリーブ11にリング3をセットして半スリーブ11の切断縁11b側の自由端部を絞り込んで結束する。次いで、リング3を引っ張って半スリーブ11の内外を反転させることにより、頂部にリング3を備えた釣り鐘状の泡立て具１となる。泡立て具1は、最外層と最内層がオーガンジー４で構成され、中間層が２層のソフトチュール5で構成される。【選択図】図１
2009090030.tif 000002
【特許請求の範囲】
【請求項１】
第１の大きさの透孔を備えた第１の素材と、前記第１の大きさの透孔よりも大きな第２の透孔を備えた第２の素材とを用意し、
前記第１、第２の素材を上下に重ね合わせる第１の工程と、
次いで、上下に重ね合わせた前記第１、第２の素材を２つ折りにする第２工程と、
次いで、２つ折りにした前記第１、第２の素材を、その折り返し部とは反対側の側縁に沿って延びる縫い目によって長手方向両端を開放した長尺スリーブを形成する第３工程と、
前記長尺スリーブの長手方向一端部分を折り返して、内側と外側に位置するスリーブ半部を備え且つ前記長尺スリーブの前記縫い目よりも外側の自由片が前記内側のスリーブ半部と外側に位置するスリーブ半部との間に位置する半スリーブを形成する第４工程と、
前記半スリーブの折り返し部分とは反対側の自由端部が位置する開口に指挿入用リングを挿入して、該指挿入用リングの基端部が前記半スリーブの前記自由端部に位置するように位置決めする第５工程と、
前記半スリーブの前記自由端部を絞り込んで、当該絞り込んだ部分を結束する第６工程とを含むことを特徴とする泡立て具の製造方法。
【請求項２】
前記第３工程で作った長尺スリーブ又は前記第４工程で作った半スリーブの内側に位置するスリーブ半部に空間形成用リングを挿入するリング挿入工程を更に有し、前記泡立て具の内側に位置するスリーブ半部に前記空間形成用リングが位置している、請求項１に記載の泡立て具の製造方法。
【請求項３】
前記第６工程の次に、前記半スリーブの内外を反転させて、内側に位置するスリーブ半部を外側に、外側に位置するスリーブ半部を内側に位置させる第７工程を更に有し、
前記第５工程において、前記半スリーブ内への前記指挿入用リングの挿入が、該指挿入用リングのリング本体を進み側に、前記指挿入用リングの基端部が遅れ側にした状態で行われる、請求項１に記載の泡立て具の製造方法。
【請求項４】
前記第３工程で作った前記長尺スリーブ又は前記第４工程で作った前記半スリーブの内側に位置するスリーブ半部に空間形成用リングを挿入するリング挿入工程と、
前記第７工程で反転した後の前記半スリーブの内側に位置するスリーブ半部に前記空間形成用リングを位置決めする第８工程を更に有する、請求項３に記載の泡立て具の製造方法。
【請求項５】
前記第１の素材及び前記第２の素材が合成繊維からなる、請求項１〜４のいずれか一項に記載の泡立て具の製造方法。
【請求項６】
前記第１の素材がオーガンジーである、請求項５に記載の泡立て具の製造方法。
【請求項７】
前記第１の工程において、前記第２の素材が複数枚である、請求項１〜６のいずれか一項に記載の泡立て具の製造方法。
【請求項８】
請求項１〜７のいずれか一項に記載の製造方法によって作られた泡立て具。
【発明の詳細な説明】
【技術分野】
【０００１】
本発明は、顔や身体の泡洗浄のために微細な泡を大量に生成するための泡立て具及びその製造方法に関する。
【背景技術】
【０００２】
公知の泡立て具として、プラスチック一体成形ネットを袋状に形作り、その上端にリングを備えた泡立て具が知られている（特許文献１）。このプラスチック一体成形ネットは、外力を加えたときに裂け易いという問題を有している。
【０００３】
この種の泡立て具は、適量の固形石鹸や液体石鹸などを付着させた状態で手揉みを繰り返すことで微細な泡を大量に生成することができ、これにより生成された泡の塊を手に移し替えて、この泡で洗顔することができ、また、身体を洗浄することができる。
【０００４】
【特許文献１】特開平１０−２７６９２８号公報
【発明の開示】
【発明が解決しようとする課題】
【０００５】
この種の泡立て具は、手にしたときの肌触り、手揉みに適した適度な復元力が商品性に大きく影響する。と共に、より微細な泡を生成する能力を追求することで、皮膚の凹凸や毛穴の中まで洗浄することができるだけでなく、長持ちする泡つまりクリーミーな泡になる。
【０００６】
本発明の目的は、手揉みに適した適度な復元力の調整が容易であり且つ製造も容易な泡立て具の製造方法を提供することにある。
【課題を解決するための手段】
【０００７】
上記の技術的課題は、本発明によれば、第１の大きさの透孔を備えた第１の素材と、前記第１の大きさの透孔よりも大きな第２の透孔を備えた第２の素材とを用意し、
前記第１、第２の素材を上下に重ね合わせる第１の工程と、次いで、上下に重ね合わせた前記第１、第２の素材を２つ折りにする第２工程と、次いで、２つ折りにした前記第１、第２の素材を、その折り返し部とは反対側の側縁に沿って延びる縫い目によって長手方向両端を開放した長尺スリーブを形成する第３工程と、前記長尺スリーブの長手方向一端部分を折り返して、内側と外側に位置するスリーブ半部を備え且つ前記長尺スリーブの前記縫い目よりも外側の自由片が前記内側のスリーブ半部と外側に位置するスリーブ半部との間に位置する半スリーブを形成する第４工程と、前記半スリーブの折り返し部分とは反対側の自由端部が位置する開口に指挿入用リングを挿入して、該指挿入用リングの基端部が前記半スリーブの前記自由端部に位置するように位置決めする第５工程と、前記半スリーブの前記自由端部を絞り込んで、当該絞り込んだ部分を結束する第６工程とを含むことを特徴とする泡立て具の製造方法を提供することにより達成される。
【０００８】
このような製造方法による泡立て具によれば、頂部に指挿入用リングを備えた釣り鐘状の形状を備え、その側壁の最外層と最内層は、相対的に小さな第１の透孔を備えた第１の素材で構成される。そして、相対的に大きな第２の透孔を備えた第２の素材が一枚であれば、最外層と最内層とで挟まれた空間に、２つ折りした２層構造の第２の素材が配設される。もし、第２の素材が２枚であれば、最外層と最内層とで挟まれた空間に、２つ折りした４層構造の第２の素材が配設されることになる。
【０００９】
第１の素材は典型的にはポリエステルやナイロンなどの合成繊維や混紡繊維からなる素材地やニット地で構成され、好ましい素材を例示すれば、ポリエステルやナイロンなどの合成繊維からなるオーガンジーを挙げることができる。オーガンジーは透孔が極小であり且つ肌触りも良好である。
【００１０】
第２の素材は典型的にはポリエステルやナイロンなどの合成繊維や混紡繊維からなる素材地やニット地で構成されるが、従来例で例示したプラスチック一体成形ネットであってもよい。第２の素材として好ましい例は、ポリエステルやナイロンなどの合成繊維からなるチュールである。チュールは、一般的に言えば透孔は極小であるが、オーガンジーよりも相対的に大きな透孔を備えている。チュールは、オーガンジーと同様に裂けにくく、また、使用の際の透孔の変形もプラスチック一体成形ネットに比べて僅かである。
【００１１】
釣り鐘状の泡立て具の第１の素材で構成される最外層と最内層の間に、典型的には２層の第２の素材が配設され、手揉みの際の適度な弾力（復元力）の調整は、第２の素材の枚数を増減することにより調整可能であり、例えば第２の素材を２枚重ねで泡立て具を作ることにより、釣り鐘状の泡立て具を手揉みするときの復元力を大きくすることができる。
【００１２】
本発明の釣り鐘状の泡立て具は、最も好ましくは、上記第６工程の次に、前記半スリーブの内外を反転させて、内側に位置するスリーブ半部を外側に、外側に位置するスリーブ半部を内側に位置させる第７工程を更に有し、そして、前記第５工程において、前記半スリーブ内への前記指挿入用リングの挿入が、該指挿入用リングのリング本体を進み側に、前記指挿入用リングの基端部が遅れ側にした状態で行われる。これによれば、第１、第２の素材を縁かがりすることなく使用したとしても、第１、第２の素材の縁部が釣り鐘状の泡立て具の頂部において外部に露出することなく内部に位置した状態になるため、縁かがりなどの工程を省くことができる。
【００１３】
また、本発明の釣り鐘状の泡立て具の好ましい実施の形態として、泡立て具の内側に位置するスリーブ半部に空間形成用リングが配設される。これによれば、泡立て具の内側に位置するスリーブ半部が途中で空間形成用リングによって絞られた状態となり、これにより外側に位置するスリーブ半部と、内側に位置するスリーブ半部との間に空間が形成されることになる。このことにより、泡立て具で石鹸の泡を作る空間が拡大されるため、泡立て具の泡を作る能力を高めることができる。
【発明を実施するための最良の形態】
【００１４】
以下に、添付の図面に基づいて本発明の好ましい実施例を説明する。
【００１５】
図１は、実施例の泡立て具の一部切欠き正面図である。この図１を参照して、実施例の泡立て具１は、下方に向けて開放した釣り鐘状の本体２を有し、本体２の頂部中心に指挿入用リング３が設けられている。この指挿入用リング３は、一本の紐の両端部を結ぶことにより形成されている。
【００１６】
泡立て具本体２は、その下端開放端で一枚の第１の素材４を折り返すことにより形成された最外層４ａと最内層４ｂとを有している。すなわち、最外層４ａ及び最内層４ｂは、薄い平織の幾分透けて見える極小な透孔を備えた同一の素材を折り返すことにより形成されている。具体的には、最外層４ａ及び最内層４ｂを構成する第１の素材はオーガンジーで構成されており、素材は、レーヨン、ポリエステル、ナイロンなどの合成繊維であるのがよく、混紡繊維であってもよい。
【００１７】
第１の素材４で構成される最外層４ａと最内層４ｂとで挟まれた内部空間には偶数の中間層５ａ、５ｂが設けられ、この中間層５ａ、５ｂは第２の素材５を折り返すことにより形成され、第２の素材５の折り返し部は、釣り鐘状の泡立て具１の下端開放端に位置している。この偶数の中間層５ａ、５ｂは、この実施例では２層であるが４層であってもよいし、それ以上であってもよい。中間層５ａ、５ｂを形成する第２の素材５は、透孔がオーガンジーよりも相対的に大きいものの、それでも可成り小さな透孔を備えた素材からなり、具体的にはチュールで構成されている。チュールは、一般的には六角形又は菱形の小さな透孔を備えている。ここに採用されたチュールは、ポリエステル、ナイロンなどの合成繊維からなるが、混紡品であってもよい。
【００１８】
図１の釣り鐘状の泡立て具１の製造方法を図２〜図８を参照して説明する。
【００１９】
第１工程（図２）：
オーガンジーからなる１枚の第１の素材４と、ソフトチュールからなる１枚の第２の素材５をほぼ同じ大きさの長方形に裁断して上下に重ね合わせる。第１、第２の素材４、５の夫々の４つの側縁は切り放しであり、端縁処理は施されていない。中間層を構成する第２の素材５を４層にするのであれば、ソフトチュールからなる第２の素材５を２枚重ねにすればよく、６層にするのであれば第２の素材５を３枚重ねにすればよい。
【００２０】
第２工程（図３）：
重ね合わせた第１、第２の素材４、５を第２の素材５（ソフトチュール）の間に第１の素材４（オーガンジー）が挟まれるように２つ折りする。
【００２１】
第３工程（図４）：
２つ折りにした第１、第２の素材４、５の折り返し側部６とは反対側の側縁に沿って縫い合わせる。縫い目を参照符号７で示す。これにより、２つ折りにした折り返し側部６とは反対側の側縁に沿った縫い目７によって長手方向両端を開放した長尺の内外２重のスリーブ８が形成される。この長尺の内外２重のスリーブ８の外周は、ソフトチュールからなる相対的に大きな透孔を備えた第２の素材５で構成され、内周は、オーガンジーからなる極小な透孔を備えた第１の素材４で構成される。
【００２２】
第４工程（図５）：
長尺スリーブ８の長手方向一端部分９を反転させて他端部分１０の上になるように折り返して、長尺スリーブ８の半分の長さの半スリーブ１１を形成することで、縫い目７の径方向外側の自由片１２を内外のスリーブ半部の間に位置させることができる。このように、長尺スリーブ８の長手方向他端部分１０の上を覆うように一端部分９を反転させて折り返すことにより、最外層と最内層が第１の素材４（オーガンジー）で構成され、共にオーガンジーで構成された最外層と最内層との間の空間に位置する中間層が、２層の第２素材５(ソフトチュール)で構成された４層構造の側壁を形成することができる。
【００２３】
第５工程（図６）：
長尺スリーブ８の一端部分９の端９ａと、他端部分１０の端１０ａをほぼ一致させる。これにより第４工程で作った長尺スリーブ８が半分の長さの且つ長手方向両端が開放した半スリーブ１１になる。また、縫い目７の径方向外側の自由片１２が、一端部分９と他端部分１０との間に位置して外部に露出しない状態になる。半スリーブ１１の折り返し部分１１ａとは反対側の部分１１ｂの端つまり第１、第２の素材４、５の切断縁が露出した端（「切り放し端」をいう）が位置する側の開口１３に、予め用意した指挿入用リング３を挿入して位置決めされる。
【００２４】
この指挿入用リング３は、一本の紐を２つ折りして基端部に結び目３ａを作ることにより形成されている。すなわち、指挿入用リング３は、基端部を構成する結び目３ａと、リング本体３ｂとを有し、指挿入用リング３の挿入は、リング本体３ｂを進み側に、結び目３ａを遅れ側にした状態で行われる。そして、指挿入用リング３の基端部である結び目３ａが、半スリーブ１１の前記反対側の部分１１ｂの端部に位置するように位置決めする。この位置決めした状態では、リング本体３ｂが半スリーブ１１の中に完全に進入し、結び目３ａが半スリーブ１１の切り放し縁よりも若干内部に入り込んだ状態になる。
【００２５】
第６工程（図７）：
半スリーブ１１の縁かがり無しの切り放し端１１ｂ側の端部を絞り込み、リング３の結び目３ａが半スリーブ１１の切り放し縁側に位置させて、この絞り込んだ部分を結束する。結束の仕方は、糸で縫ってもよいし適当なプラスチック成形キャップや紐で固定してもよい。これにより、半スリーブ１１の一端部１１ｂが結束され、この結束した部分からリング３の本体３ｂが半スリーブ１１の内部でぶら下がった状態になる。
【００２６】
第７工程（図８）：
半スリーブ１１の折り返し部分１１ａの開口から手を差し入れてリング３の本体３ｂを摘んで、リング３を引っ張って半スリーブ１１の内外を反転させる。半スリーブ１１を完全に反転させることにより、リング３の結び目３ａの周囲の束ねた部分が半スリーブ１１の内部に位置する図１の釣り鐘状の泡立て具となる。
【００２７】
この釣り鐘状の泡立て具１の製造方法によれば、泡立て具本体２の頂部中央の絞り込んだ部分が、釣り鐘状の本体２の内部に隠れた状態となる。したがって、泡立て具１を構成する第１、第２の素材４、５の切り放し側縁は外部から見えず、これを隠して商品性を上げるための処理、例えば大きなビーズを使うとか、第１、第２の素材４、５の側縁を縁がかりするなどの端縁処理を必要としないため、その分、安価に製造することができる。
【００２８】
もし、商品性を上げるために第１、第２の素材４、５の側縁を縁かがりするなどの端縁処理を施したり、大きなビーズなどを使ってもよいのであれば、上述した図６を参照して説明した第５工程において、半スリーブ１１の切り放し縁の開口１３に対して挿入用リング３を挿入する際に、図９に示すように、結び目３ａを進み側に、リング本体３ｂを遅れ側にした状態で行い、そして、指挿入用リング３を位置決めした後は、リング本体３ｂが半スリーブ１１の外部に位置した状態で結び目３ａが半スリーブ１１の切り放し縁よりも若干内部に入り込んだ状態になる。この状態で、半スリーブ１１の切り放し縁の端部を絞り込んで、この絞り込んだ部分を結束することで、図１０に示す第１変形例の泡立て具２０を作ることができる。この変形例の泡立て具２０の頂部に位置する結束部分２１を例えばオーガンジーリボン（図示せず）などで装飾してもよい。
【００２９】
図１１〜図１３は、図１に図示の釣り鐘状泡立て具１の第２変形例３０を示す。この第２変形例の釣り鐘状泡立て具３０にあっては、上述した第４工程（図５）又は第５工程（図６）において、内側に位置するスリーブ半部に空間形成用リング３１が挿入される。そして、この空間形成用リング３１は、上述した第６工程（図７）から第７工程（図８）に移行して、内側のスリーブ半部を外側に変化させる段階で、空間形成用リング３１が、最終的に内側に位置するスリーブ半部に移行される。これにより、第２変形例の釣り鐘状泡立て具３０にあっては、内側に位置するスリーブ半部の上下途中部分が空間形成用リング３１によって絞られた状態となるため、外側のスリーブ半部との間に空間３２が強制的に形成され、これにより大量の泡を形成することが容易となる。なお、第１変形例の釣り鐘状泡立て具２０においても、内側に位置するスリーブ半部に空間形成用リング３１を設けてもよいことは言うまでもない。
【００３０】
如上のように、実施例及び第１変形例の泡立て具１、２０にあっては、その製造において、基本的には、第１、第２の素材４、５を重ね合わせて、その一側縁に沿って縫い合わせて長尺スリーブ８を作り、後はスリーブ８の長手方向一端部分９を反転させて他端部分１０の上になるように折り返して半スリーブ１１を形成し、次いで指挿入用リング３を位置決めして、この指挿入用リング３を含む部位を絞り込んで結束するという比較的少ない工程で、第１、第２の素材４、５からなる少なくとも４層の素材を備えた状態の側壁を備えた泡立て具１、２０を作ることができる。そして、第２変形例の泡立て具３０によれば、内側のスリーブ半部の空間形成用リング３１によって内側のスリーブ半部と外側のスリーブ半部の間に強制的に空間３２が形成されるため、大量の泡を作るのが容易となる。
【００３１】
また、好適な例として、第１、第２の素材４、５をオーガンジーとチュールとで構成することにより、泡立て具１、２０、３０の最外層４ａと最内層４ｂがオーガンジーという、透けて見える程度の薄い且つ極めて微細な透孔を備えた、合成繊維からなる素材で構成され、そして、この最外層４ａと最内層４ｂに挟まれた少なくとも内外２重の中間層５ａ、５ｂがソフトチュールという、オーガンジーよりは透孔が大きいものの、それでも可成り小さな、合成繊維からなる素材で構成されているため、試作したところ、肌触りが良いことは勿論のこと、手揉みに適した適度な復元力を備えていることが分かった。もし復元力が不足しているのであれば、中間層５ａ、５ｂを構成するソフトチュール（第２の素材５）を複数枚重ねた状態で長尺スリーブ８を作ればよいため自在な復元力を容易に実現することができる。それだけでなく、長持ちするクリーミーな、そして今までに無い微細な泡を大量に生成することができることが分かった。したがって、泡立て具１、２０によれば、泡洗浄に適したクリーミーな泡を大量に作ることができる。
【図面の簡単な説明】
【００３２】
【図１】実施例の釣り鐘状の泡立て具の一部切欠き側面図である。
【図２】実施例の泡立て具を製造するために第１の素材（オーガンジー）と第２の素材（チュール）を重ね合わせる工程を説明するための図である。
【図３】重ね合わせた第１、第２の素材を、第１の素材が内側になる状態で２つ折りする工程を説明するための図である。
【図４】２つ折りした第１、第２の素材の側縁部に沿って縫うことで長手方向両端を開放した長尺スリーブを形成する工程を説明するための図である。
【図５】長尺スリーブの長手方向一端部分を反転させて他端部分の上になるように折り返して、長尺スリーブの半分の長さの半スリーブ１１を形成する工程を説明するための図である。
【図６】半スリーブ１１の切り放し端が露出した端側の開口に、指挿入用リングの本体を先行させて挿入して位置決めする工程を説明するための図である。
【図７】指挿入用リングの基端部の回りを絞り込んで、この絞り込んだ部分を糸で縫って結束した状態の中間段階を説明するための側面図である。
【図８】一端部を絞り込んだ半スリーブ１１の内外を反転させて図１の釣り鐘状の泡立て具にする途中過程を図示した部分側面図である。
【図９】図６に対応する図であり、変形例の釣り鐘状の泡立て具の製造において、半スリーブ１１の切り放し端が露出した端側の開口に、指挿入用リングの本体を先行させて挿入して位置決めする工程を説明するための図である。
【図１０】第１変形例の釣り鐘状の泡立て具の一部切欠き側面図である。
【図１１】第２変形例として空間形成用リングを装着する準備工程を示す図であり、図５に対応する図である。
【図１２】第２変形例として空間形成用リングを挿入する工程を示す図であり、図５に対応する図である。
【図１３】第２変形例の釣り鐘状泡立て具の一部切欠き側面図である。
【符号の説明】
【００３３】
１    泡立て具
２    釣り鐘状の本体
３    指挿入用リング
３ａ    指挿入用リングの結び目
３ｂ    指挿入用リングの本体
４    第１の素材（オーガンジー）
４ａ    泡立て具の側壁の最外層
４ｂ    泡立て具の側壁の最内層
５    第２の素材（ソフトチュール）
５ａ、５ｂ  泡立て具の側壁の中間層（ソフトチュール）
６    折り返し側部
７    縫い目
８    長尺スリーブ
９    長尺スリーブの一端部分
１０    長尺スリーブの他端部分
１１    半スリーブ１１
１１ａ    半スリーブ１１の折り返し部分
１１ｂ    半スリーブ１１の折り返し部分とは反対側の部分
１３    半スリーブ１１の切り放し端が露出した端側の開口
２０    第１変形例の泡立て具
３０    第２変形例の泡立て具
３１    空間形成用リング
３２    内側と外側のスリーブ半部の間に強制的に形成された空間
【図１】
2009090030.tif 000003
【図２】
2009090030.tif 000004
【図３】
2009090030.tif 000005
【図４】
2009090030.tif 000006
【図５】
2009090030.tif 000007
【図６】
2009090030.tif 000008
【図７】
2009090030.tif 000009
【図８】
2009090030.tif 000010
【図９】
2009090030.tif 000011
【図１０】
2009090030.tif 000012
【図１１】
2009090030.tif 000013
【図１２】
2009090030.tif 000014
【図１３】
2009090030.tif 000015